(57)【要約】【課題】  中心周波数ずれや周波数ドリフトを伴わず安定であって、かつ変調指数が一定なＦＳＫ変調波を生成可能な、２値ＦＳＫ変調波データ発生回路を提供する。【解決手段】  開示される２値ＦＳＫ変調波データ発生回路は、入力ビットストリーム信号をＩＱ直交座標系のＩ信号点とＱ信号点の情報にマッピングする信号点マッピング回路１と、Ｉ信号点とＱ信号点の情報をアナログ信号からなるＩチャネル信号とＱチャネル信号とに変換するＤＡ変換器２，３と、所定のキャリア信号をＩチャネル信号およびＱチャネル信号によって直交変調して２値ＦＳＫ変調波信号を生成する直交変調器４とを備えている。【選択図】    図１
2005210330.tif 000002
【特許請求の範囲】
【請求項１】
入力ビットストリーム信号をＩＱ直交座標系のＩ信号点とＱ信号点の情報にマッピングする信号点マッピング手段と、前記Ｉ信号点とＱ信号点の情報をアナログ信号からなるＩチャネル信号とＱチャネル信号とに変換するＤＡ変換手段と、所定のキャリア信号を前記Ｉチャネル信号およびＱチャネル信号によって直交変調して２値ＦＳＫ変調波信号を生成する直交変調手段とを備えたことを特徴とする２値ＦＳＫ変調波データ発生回路。
【請求項２】
前記ＤＡ変換手段から出力されるＩチャネル信号とＱチャネル信号とをそれぞれ帯域制限するフィルタ手段を備えたことを特徴とする請求項１記載の２値ＦＳＫ変調波データ発生回路。
【請求項３】
前記ＤＡ変換手段から出力されるＩチャネル信号とＱチャネル信号とをそれぞれ帯域制限するガウシァンフィルタを備え、所定のキャリア信号を前記ガウシァンフィルタの出力信号によって直交変調して２値ＧＦＳＫ変調波信号を生成することを特徴とする請求項１記載の２値ＦＳＫ変調波データ発生回路。
【請求項４】
入力ビットストリーム信号をＩＱ直交座標系のＩ信号点とＱ信号点の情報にマッピングしたのち、前記Ｉ信号点とＱ信号点の情報をＤＡ変換してアナログ信号からなるＩチャネル信号とＱチャネル信号とを生成し、所定のキャリア信号を前記Ｉチャネル信号およびＱチャネル信号によって直交変調して２値ＦＳＫ変調波信号を生成することを特徴とする２値ＦＳＫ変調波データ発生方法。
【請求項５】
前記ＤＡ変換して生成されたＩチャネル信号とＱチャネル信号とをそれぞれフィルタ手段を介して帯域制限することを特徴とする請求項４記載の２値ＦＳＫ変調波データ発生方法。
【請求項６】
前記ＤＡ変換して生成されたＩチャネル信号とＱチャネル信号とをそれぞれガウシァンフィルタを介して帯域制限し、所定のキャリア信号を前記ガウシァンフィルタの出力信号によって直交変調して２値ＧＦＳＫ変調波信号を生成することを特徴とする請求項４記載の２値ＦＳＫ変調波データ発生方法。
【発明の詳細な説明】
【技術分野】
【０００１】
この発明は、２値ＦＳＫ（Frequency Shift Keying）変調波データ発生回路および方法に係り、詳しくは、入力ビットストリームから安定的に、かつ一定の変調指数でＦＳＫ変調波を生成することが可能な、２値ＦＳＫ変調波データ発生回路および方法に関する。
【背景技術】
【０００２】
近年におけるディジタル技術の発展に伴って、ディジタル信号処理と直交変調とを用いて各種変調信号を生成するための種々の構成が提案されているが、これらのうち、直交変調器を用いてＦＳＫ変調波を生成するものはあまり多く知られていない。
従来の例としては、例えば非特許文献１に記載されたＦＳＫ変調方式では、ＮＲＺ（Non Return to Zero）のビットストリーム信号を、直接、ＶＣＯ（Voltage Controlled Oscillator ）に制御電圧として印加することによって、ＦＳＫ変調信号を取り出すようにしている。
【０００３】
図１１は、ＶＣＯを用いた従来のＦＳＫ変調回路を示したものであって、（ａ）は概略機能ブロック図、（ｂ）はＰＬＬ（Phase Locked Loop ）回路を含むＦＳＫ変調回路のやや詳細な構成を示す図である。また、図１２は、入力ビットストリーム信号とこれに対応するＦＳＫ変調信号とを例示する図である。
非特許文献１に記載されたＶＣＯを用いたＦＳＫ変調回路は、図１１（ａ）に示すように、ＶＣＯ３００に対する制御電圧としてビットストリーム信号４００を直接入力する機能構成を有し、例えば "１００１１０”からなるビットストリーム信号入力によって、図１２に示すような、入力信号の "１”， "０”の変化に応じて周波数が変化するＦＳＫ変調波出力を発生する。
【０００４】
この場合における、ＶＣＯとＰＬＬ回路とを含む具体的なＦＳＫ変調回路は、一般的に、図１１（ｂ）に示すように、ＶＣＯ３００とＰＬＬ回路３０１とを含む帰還ループに、帰還ループを切り離すためのＳＷ回路３０２を挿入した構成を有している。
図１１（ｂ）に示す回路では、ＦＳＫ変調動作を行わないときは、ＳＷ回路３０２が閉じることによって、ＶＣＯ３００からのＶＣＯ出力信号がＰＬＬ回路３０１に入力され、ＰＬＬ回路３０１内において演算が行われた結果の制御電圧信号がＶＣＯ３００の制御入力に帰還されることによって、ＶＣＯ３００から一定周波数の出力信号が発生する状態になっている。この際、ＶＣＯ３００の入力側に挿入されたループフィルタ３０３は、ＶＣＯ制御電圧の高周波成分を除去して、ＶＣＯ３００の動作を安定化する作用を行っている。
【０００５】
ＦＳＫ変調動作時には、ループ切り離し制御信号が与えられることによって、ＳＷ回路３０２が開放されるとともに、ビットストリーム信号がＶＣＯ１００の制御電圧として与えられるので、ＶＣＯ３００の発振周波数は、ビットストリーム信号の "１”， "０”の変化に従って変化する。
これによって、例えば、図１２（ａ）に示すようなビットストリーム信号の "１００１１０”の変化に対応して、ＶＣＯ出力信号の周波数が図１２（ｂ）に示すように高低の変化を行って、ＦＳＫ変調波出力が得られるようになる。
【０００６】
図１１に示されたような、ＶＣＯを用いたＦＳＫ変調回路では、ＦＳＫ変調時、ＶＣＯがオープンループになるため、ＰＬＬ回路によるＶＣＯの周波数制御が行われなくなって、ＦＳＫ変調信号の中心周波数ずれが生じ、これによってＦＳＫ変調信号の周波数ドリフトが生じるとともに、ＶＣＯの変調感度の非直線性に基づいて、ＦＳＫ変調指数が一定にならないという問題がある。
さらに、ＶＣＯがオープンループになったとき、ＶＣＯの入力に挿入されているループフィルタ３０３に蓄積されていた電荷が変化する等の原因によって、ＶＣＯの発振周波数が不安定になり、周波数ドリフトの制御が困難になるという問題が生じる。
【０００７】
これに対して、ＦＳＫ変調波を発生するための回路として、例えば特許文献１，２等に開示されているようなものがある。
特許文献１においては、入力されたディジタルデータ信号のデータ値に応じた位相値を示す位相信号を出力する位相発生回路と、位相発生回路から出力された位相信号の位相値に乗算値Ｋを乗算する乗算回路と、外部指令に応じて乗算回路における乗算値Ｋを指定する乗算値指定手段と、乗算回路の出力の位相成分を積分して積分位相信号を出力する位相積分回路と、位相積分回路の積分位相信号の示す位相値の余弦値及び正弦値を示す各信号をＩベースバンド信号及びＱベースバンド信号として出力するＩ，Ｑ信号発生回路と、ＩＱ信号発生回路から出力された各ベースバンド信号を直交変調してＦＳＫ変調波信号を出力する直交変調回路とを備えたＦＳＫ信号発生装置が開示されている。
【０００８】
また、特許文献２においては、入力ディジタル信号を保持するバッファと、バッファの出力を印加するＭｏｄ２Ｎ演算回路と、Ｍｏｄ２Ｎ演算回路の出力とバッファ出力とを用いてＲＯＭに格納するデータのアドレスを設定するＲＯＭアドレス設定回路と、Ｉｃｈ信号とＱｃｈ信号とをそれぞれ格納する２つのＲＯＭと、各ＲＯＭ出力がそれぞれ印加される２つのＤ／Ａ変換器と、各Ｄ／Ａ変換器出力を９０度位相の異なる２つの搬送波で互いに乗算する２つの乗算器と、２つの乗算器出力を合成する合成器とにより構成したＧＦＳＫ直交変調器と変調方法が開示されている。
【非特許文献１】Lawrence E.Larson 著「Microwave & RF Circuit Design for Wireless Communications 」 Artech House 出版, 1997年, PP.166-172
【特許文献１】特開平８−３７５４５号公報
【特許文献２】特開２００２−１９０８３９号公報
【発明の開示】
【発明が解決しようとする課題】
【０００９】
非特許文献１記載のＦＳＫ変調回路においては、生成されたＦＳＫ変調波の中心周波数ずれが発生するとともに、ＦＳＫ変調指数が非線形になり、さらに周波数ドリフトの制御が困難であるという問題がある。
また、特許文献１記載のＦＳＫ信号発生装置においては、複雑な構成を必要とするという問題がある。さらに特許文献２記載のＧＦＳＫ直交変調器と変調方法においては、大規模なメモリが必要になるという問題がある。
【００１０】
この発明は上述の事情に鑑みてなされたものであって、簡単な構成で、中心周波数ずれや周波数ドリフトを伴わず、安定であるとともに、変調指数が一定なＦＳＫ変調波を生成することが可能な、２値ＦＳＫ変調波データ発生回路および方法を提供することを目的としている。
【課題を解決するための手段】
【００１１】
上記課題を解決するため、請求項１記載の発明は２値ＦＳＫ変調波データ発生回路に係り、入力ビットストリーム信号をＩＱ直交座標系のＩ信号点とＱ信号点の情報にマッピングする信号点マッピング手段と、上記Ｉ信号点とＱ信号点の情報をアナログ信号からなるＩチャネル信号とＱチャネル信号とに変換するＤＡ変換手段と、所定のキャリア信号を上記Ｉチャネル信号およびＱチャネル信号によって直交変調して２値ＦＳＫ変調波信号を生成する直交変調手段とを備えたことを特徴としている。
【００１２】
また、請求項２記載の発明は、請求項１記載の２値ＦＳＫ変調波データ発生回路に係り、上記ＤＡ変換手段から出力されるＩチャネル信号とＱチャネル信号とをそれぞれ帯域制限するフィルタ手段を備えたことを特徴としている。
【００１３】
また、請求項３記載の発明は、請求項１記載の２値ＦＳＫ変調波データ発生回路に係り、上記ＤＡ変換手段から出力されるＩチャネル信号とＱチャネル信号とをそれぞれ帯域制限するガウシァンフィルタを備え、所定のキャリア信号を上記ガウシァンフィルタの出力信号によって直交変調して２値ＧＦＳＫ変調波信号を生成することを特徴としている。
【００１４】
また、請求項４記載の発明は２値ＦＳＫ変調波データ発生方法に係り、入力ビットストリーム信号をＩＱ直交座標系のＩ信号点とＱ信号点の情報にマッピングしたのち、上記Ｉ信号点とＱ信号点の情報をＤＡ変換してアナログ信号からなるＩチャネル信号とＱチャネル信号とを生成し、所定のキャリア信号を上記Ｉチャネル信号およびＱチャネル信号によって直交変調して２値ＦＳＫ変調波信号を生成することを特徴としている。
【００１５】
また、請求項５記載の発明は、請求項４記載の２値ＦＳＫ変調波データ発生方法に係り、上記ＤＡ変換して生成されたＩチャネル信号とＱチャネル信号とをそれぞれフィルタ手段を介して帯域制限することを特徴としている。
【００１６】
また、請求項６記載の発明は、請求項４記載の２値ＦＳＫ変調波データ発生方法に係り、上記ＤＡ変換して生成されたＩチャネル信号とＱチャネル信号とをそれぞれガウシァンフィルタを介して帯域制限し、所定のキャリア信号を上記ガウシァンフィルタの出力信号によって直交変調して２値ＧＦＳＫ変調波信号を生成することを特徴としている。
【発明の効果】
【００１７】
この発明の２値ＦＳＫ変調波データ発生回路および方法によれば、中心周波数ずれや周波数ドリフトを伴わず、安定であるとともに、変調指数が一定なＦＳＫ変調波を生成することができる。
【発明を実施するための最良の形態】
【００１８】
この発明の２値ＦＳＫ変調波データ発生回路は、入力ビットストリーム信号をＩＱ直交座標系のＩ信号点とＱ信号点の情報にマッピングする信号点マッピング回路１と、Ｉ信号点とＱ信号点の情報をアナログ信号からなるＩチャネル信号とＱチャネル信号とに変換するＤＡ変換器２，３と、所定のキャリア信号をＩチャネル信号およびＱチャネル信号によって直交変調して２値ＦＳＫ変調波信号を生成する直交変調器４とを備えた構成を有している。
【実施例１】
【００１９】
図１は、本発明の２値ＦＳＫ変調波データ発生回路の第１実施例の構成を示す図、図２は、入力信号に対するＦＳＫ変調波の位相変化を例示する図、図３は、信号点マッピング回路における正規化されたＩＱ直交座標系での信号点のマッピングを示す図、図４は、正規化されたＩＱ直交座標値と実電圧動作の相対座標値との対応を示す図、図５は、入力ビットストリーム信号を例示する図、図６は、図５に示された入力ビットストリーム信号に対する、アナログ変換されたＩチャネル信号及びＱチャネル信号と、直交変換後に出力されるＦＳＫ変調波信号とを示す図、図７は、本実施例の２値ＦＳＫ変調波データ発生回路のやや詳細な構成例を示す図、図８は、図７の場合の、１ビット符号信号をＩＱ信号点に変換するための信号点マッピング回路の一構成例を示す図、図９は、図８の場合の、バレイコードとＩＱ信号点との対応を示す図である。
【００２０】
この例の２値ＦＳＫ変調波データ発生回路は、図１に示すように、信号点マッピング回路１と、ＤＡ変換器（ＤＡＣ）２，３と、直交変調器４とから概略構成されている。
信号点マッピング回路１は、入力ビットストリームを直交位相平面上にマッピングして、直交位相平面上における複数の信号点のいずれの位置を占めるかを示すＩ信号点情報とＱ信号点情報とを出力する。ＤＡ変換器２，３は、それぞれ信号点マッピング回路１からの、Ｉ信号点情報とＱ信号点情報とをディジタルアナログ変換して、アナログ信号からなるＩチャネル信号とＱチャネル信号とを出力する。直交変調器４は、乗算器４１，４２と、π／２移相器４３と、加算器４４とからなり、ＤＡ変換器２からのＩチャネル信号とＦＳＫ変調波のキャリア信号ωｃとを乗算した信号と、ＤＡ変換器３からのＱチャネル信号とキャリア信号ωｃを移相器４３を介して９０°移相した信号とを乗算した信号とを、加算器４４において合成することによって、ＦＳＫ変調波を出力する。
【００２１】
ＦＳＫ変調波は、入力ビットストリーム信号の変化に対応してキャリア信号ωｃの位相φ（ｔ）を変化させるものである。この場合、位相は、入力ビットストリーム信号の周期Ｔごとに直線的に連続して変化し、位相の傾きは周波数変化ω（ｔ）の大きさに対応している。すなわち、
ω（ｔ）＝ｄφ（ｔ）／ｔ                                  …（１）
従って、ＦＳＫ変調波は、周期Ｔを持つバイナリデータ（０，１）に対応して、２つの周波数変移±Δｆを持っている。この場合における変調信号の位相傾斜を±ｂπ／Ｔとして表したときの、ｂ＝２×Δｆ×Ｔは変調指数と呼ばれるものであって、ＦＳＫ変調方式に特有のものである。
【００２２】
図２においては、変調指数ｂ＝１／３＝０．３３３…、周期Ｔ＝１μｓのときの直交位相平面上の信号マッピングを示し、ビットストリームデータが "０" のときは、ＦＳＫ変調波の位相がπ／３進み、ビットストリームデータが "１" のときは、ＦＳＫ変調波の位相が−π／３進むことが示されている。
【００２３】
図３は、図２によって示される位相変化を、正規化されたＩＱ直交座標に変換した結果を示したものであって、ビットストリームデータ "０" が入力された場合は、位相がπ／３（＝６０°）変化することによって、ＩＱ座標が初期値（１，０）から周期Ｔの間に（（０．５，０．８６７）に変化し、ビットストリームデータ "１" が入力されたときは、位相が−π／３（＝−６０°）変化することによって、ＩＱ座標が初期値（１，０）から周期Ｔの間に（０．５，−０．８６７）に変化することが示されている。
【００２４】
信号点マッピング回路１では、このように、入力ビットストリーム信号に応じて、正規化されたＩＱ座標値を出力する。実際のＬＳＩ（Large Scale Integrated circuit）では、負電源電圧を使用しないため、図３に示されたＩＱ座標値に対して、図４に示されるような、正電圧に変換された相対座標値を使用するのが一般的である。
【００２５】
このようにして生成された座標値は、ディジタル信号からなっている。そこで、信号点マッピング回路１から出力されたＩ信号点情報とＱ信号点情報とから、それぞれＤＡ変換器２，３を経て、アナログ信号からなるＩチャネル信号Ｉ（ｔ）とＱチャネル信号Ｑ（ｔ）とを生成する。すなわち、
【００２６】
【数１】
2005210330.tif 000003
【００２７】
（２），（３）式において、ＡI，ＡQは振幅を表している。
さらに、Ｉチャネル信号Ｉ（ｔ）とＱチャネル信号Ｑ（ｔ）とを、直交変換器４を介して単一の時間軸上の信号に変換して、ＦＳＫ変調波ＶO（ｔ）を生成する。
【００２８】
【数２】
2005210330.tif 000004
【００２９】
（４）式において、ＶOI（ｔ），ＶOQ（ｔ）は、それぞれＩチャネル成分とＱチャネル成分、ｋは直交変換器４の利得、ωcはＩチャネル信号Ｉ（ｔ）とＱチャネル信号Ｑ（ｔ）とをミキシングするキャリア信号の角速度であって、Ａ＝ＡI＝ＡQとする。
【００３０】
図５は、入力ビットストリーム信号を例示したものであって、周期Ｔ＝１μｓのビットストリーム "０１１１０１００１１…" が示されている。
また、図６は、図５に示されたビットストリーム信号に対応するＦＳＫ変調波の計算例を示し、変調を与えるキャリア周波数３ＭＨｚ，変調指数ｂ＝１／３＝０．３３３…のときの、Ｉチャネル信号Ｉ（ｔ）とＱチャネル信号Ｑ（ｔ）、及びＦＳＫ変調波ＶO（ｔ）とが示されている。
【００３１】
このように、この例の２値ＦＳＫ変調波データ発生回路によれば、入力ビットストリーム信号の変化に応じて位相（周波数）が変化し、安定的に一定変調指数でＦＳＫ変調波を生成することができる。
【００３２】
図７においては、この例の２値ＦＳＫ変調波データ発生回路のやや詳細な構成例が示されている。
図７に示す２値ＦＳＫ変調波データ発生回路は、信号点マッピング回路１０と、Ｄ／Ａ変換部２０と、フィルタ部２１と、周波数変換部２２と、直交変調回路２３と、電力増幅回路２４とから構成されている。
【００３３】
信号点マッピング回路１０は、１ビット符号信号からＩＱ直交座標系におけるマッピングを行って、Ｉ信号とＩ反転信号およびＱ信号とＱ反転信号とを生成して出力する。Ｄ／Ａ変換部２０は、Ｄ／Ａ変換回路２０１，２０２，２０３，２０４を有し、それぞれＩ信号，Ｉ反転信号，Ｑ信号，Ｑ反転信号をディジタルアナログ変換して、アナログ信号からなるＩ信号，Ｉ反転信号，Ｑ信号，Ｑ反転信号を出力する。フィルタ部２１は、フィルタ回路２１１，２１２，２１３，２１４を有し、それぞれアナログ化されたＩ信号，Ｉ反転信号，Ｑ信号，Ｑ反転信号に対し所要の帯域制限を行って出力する。
【００３４】
周波数変換部２２は、発振回路２２１，位相変換回路２２２，周波数変換回路２２３，２２４を有し、発振回路２２１で変調キャリア信号を発生して、周波数変換回路２２３で帯域制限されたアナログＩ信号，Ｉ反転信号と変調キャリア信号とを乗算し、周波数変換回路２２４で帯域制限されたアナログＱ信号，Ｑ反転信号と位相変換回路２２２で９０°移相された変調キャリア信号とを乗算して、周波数変換された出力を発生する。直交変調回路２３は、周波数変換回路２２３，２２４の出力を直交変調して出力する。電力増幅回路２４は、直交変調回路２３の出力を電力増幅して出力する。
【００３５】
以下、図７乃至図９を参照して、この構成例の２値ＦＳＫ変調波データ発生回路の動作を説明する。
図７に示す２値ＦＳＫ変調波データ発生回路において、入力される１ビットの信号は、０または１からなる２つの値を有している。この１ビットの２値信号をＦＳＫ変調するために、図３に示されたように、入力された信号のＩＱ値に応じてその座標値を単位円に沿って変化させる。
この例においては、送信レートごとに、０が入力されたときは左回りに順次６０°回転した座標に変化させ、１が入力されたときは右回りに順次６０°回転した座標に変化させる。
【００３６】
図８に示す信号点マッピング回路は、入力信号に対して、図９に示された入力信号点の座標を表す６ビットのバレイコードを割り当てることによって、ＩＱ座標上の情報に変換する機能を有している。この場合のＩとＱの値は、Ｄ／Ａ変換部２０においてアナログ電圧に変換したとき、図３に示された座標の値に相対的に変化させるための理論値をとるものである。
【００３７】
いま、変調を行う情報がＮ（Ｎ＝１，２，３，…，Ｎ）からなり、１ビット目から一定速度で矩形波として図８に示す回路の "１ビット２値信号”端子から入力されるとき、１ビット目が信号点のどの座標値をとるかは任意であるので、 "開始信号点情報”端子に予め固定値として入力しておく。
図８に示す回路において、変調を行う情報の入力が開始される前は、セレクタ１０１によって "開始信号点情報”端子から入力されている固定値が、ＩＱ変換回路１０７に送られて、Ｉ信号，Ｉ反転信号，Ｑ信号，Ｑ反転信号として出力されている。これを０ビット目とする。
【００３８】
図８に示す回路に変調を行う情報の入力が開始されると、 "送信期間有効信号”端子の信号によって、セレクタ１０２が "１ビット２値信号”端子から入力される信号を選択する。これと同時に、１ビット目から順次、一定の速度で "１ビット２値信号”端子から矩形波が入力される。
ここで、０ビット目の情報によって、双方向回転バレイコード生成回路１０３は、図９に示されるバレイコード列に基づいて、その０ビット目が示すバレイコードから上に示すコードと、下に示すコードとの両方を生成する。
【００３９】
０ビット目が示すコードが図９において一番上にある場合は、一番下のコードと０ビット目が示すコードの一つ下すなわち上から二番目のコードを生成し、０ビット目が示すコードが図９において一番下にある場合は、一つ上と一番上にあるコードを生成する。１ビット目が０であった場合、セレクタ１０４により、０ビットが示すコードより一つ下の列のコードを選択し、０ビット目が１を示す場合は一つ上の列を選択する。
【００４０】
このとき、セレクタ１０６は、 "バレイコード保持選択信号”端子の情報によって、セレクタ１０４の出力を選択する。また、１ビット目が入力されだすと同時に変化する "送信期間有効信号”端子の信号によって、セレクタ１０１は、セレクタ１０６の出力を選択する。
セレクタ１０１の出力は、図９に示す６ビットバレイコードであって、ＩＱ変換回路１０７によって、図９に示すバレイコードに対応する信号点Ｉ，信号点Ｉ反転，信号点Ｑ，信号点Ｑ反転を出力する。信号点Ｉと信号点Ｉ反転の関係および信号点Ｑと信号点Ｑ反転の関係は、図３に示された信号点ＩＱの座標を１８０°回転した座標を、信号点Ｉ反転，信号点Ｑ反転の座標としている。
【００４１】
１ビット目に対応したコードがセレクタ１０１から出力されると、双方向回転バレイコード生成回路１０３は、０ビット目のときと同様に、１ビット目が示すコードから図９に示す列の一つ上のコードと、一つ下のコードとを生成する。１ビット目が図９に示すコードの列の一番上または一番下にあるときも、０ビット目と同様のコード生成を行う。
【００４２】
２ビット目が入力されると、１ビット目のときと同様に、セレクタ１０４によって、２ビット目が示す値に応じて双方向回転バレイコード生成回路１０３で生成した２種類のコードの選択を行う。選択されたコードは、セレクタ１０６を通ってセレクタ１０１に出力され、ＩＱ選択回路１０７によって、信号点Ｉ，信号点Ｉ反転，信号点Ｑ，信号点Ｑ反転の信号に変換されて出力される。
【００４３】
以降、このような動作をＮビット目まで続ける。そして、Ｎビット目までの出力が終了すると、 "送信期間有効信号”端子の信号によって、セレクタ１０２は、Ｎビット目の値を選択し続ける。バレイコード保持回路１０５は、常に前のコードを保持しており、Ｎビット目の出力が終了した時点では、Ｎビット目のコードを保持している。
【００４４】
Ｎビット目が図８の回路で出力されたのち、直交変調回路でＮビット目の座標を固定で出力する場合は、 "バレイコード保持選択信号”端子の信号によって、セレクタ１０６でバレイコード保持回路１０５の出力を選択し、Ｎビット目の値によって信号点を回転させ続ける場合は、セレクタ１０４の出力を選択する。
この "バレイコード保持選択信号”の選択により、Ｎビット出力後、図８の回路は信号点Ｉ，信号点Ｉ反転，Ｑ信号点，信号点Ｑ反転の信号に対して、その座標を固定にするか、または信号点を回転させ続けるかを選択する機能を有している。
【実施例２】
【００４５】
図１０は、本発明の２値ＦＳＫ変調波データ発生回路の第２実施例の構成を示す図である。
この例の２値ＦＳＫ変調波データ発生回路は、図１０に示すように、信号点マッピング回路１と、ＤＡ変換器（ＤＡＣ）２，３と、直交変調器４と、ガウシァンフィルタ５，６とから概略構成されている。
これらのうち、信号点マッピング回路１，ＤＡ変換器（ＤＡＣ）２，３，直交変調器４は、図１に示された第１実施例の場合と同様である。
ガウシァンフィルタ５，６は、ガウス型の帯域通過特性を有し、それぞれＤＡ変換器２，３からのアナログ信号からなるＩチャネル信号とＱチャネル信号の帯域を制限して出力する。
【００４６】
近年において、無線通信規格Bluetooth に準拠したＦＳＫ変調波を用いた無線通信方式が用いられるようになった。
Bluetooth 規格の変調方式では、変調指数ｂ＝０．２８〜０．３５、データレート１Ｍｂｐｓの２値ＧＦＳＫ変調信号（ＢＴ＝０．５）を使用する。ここで、Ｂはガウシァンフィルタの帯域幅を示し、Ｔはビットレートである。
【００４７】
図１０に示された２値ＦＳＫ変調波データ発生回路においては、ＤＡ変換器２，３からから出力された、アナログ信号からなるＩチャネル信号とＱチャネル信号とを、それぞれガウシァンフィルタ５，６を経て直交変調器４に入力することによって、直交変調器４から、ＢＴ＝０．５となるように帯域制限された２値ＧＦＳＫ変調波を得ることができる。この場合の変調出力波形は、図６に示されたものと類似しているが、帯域制限されている結果、図６の場合と比較して、変調波形における急激な波形変化が緩和されている。
【００４８】
このように、この例の２値ＦＳＫ変調波データ発生回路によれば、無線通信規格Bluetooth に適合した、２値ＧＦＳＫ変調信号を発生することができる。
【００４９】
以上、この発明の実施例を図面により詳述してきたが、具体的な構成はこの実施例に限られたものではなく、この発明の要旨を逸脱しない範囲の設計の変更等があってもこの発明に含まれる。例えば、本発明の２値ＦＳＫ変調波データ発生回路における信号点マッピング回路は、図８に示された構成例に限るものでなく、他の回路形式のものであってもよい。また、図１に示された第１実施例の回路において、ＤＡ変換器２，３の後にそれぞれＬＰＦ（Low Pass Filter ）を設けて、出力信号の高域を除去することによって、発生するＦＳＫ変調波の帯域制限を行うようにしてもよい。
【産業上の利用可能性】
【００５０】
この発明の２値ＦＳＫ変調波データ発生回路は、一般的なＦＳＫ変調方式及びBluetooth 規格のＧＦＳＫ変調方式だけでなく、変調指数ｂ＝０．５の２値ＦＳＫ変調波を用いるＭＳＫ変調方式や、ＭＳＫ変調方式の場合にさらにガウシァンフィルタを使用するＧＭＳＫ変調方式の場合にも適用可能なものである。
【図面の簡単な説明】
【００５１】
【図１】本発明の２値ＦＳＫ変調波データ発生回路の第１実施例の構成を示す図である。
【図２】入力信号に対するＦＳＫ変調波の位相変化を例示する図である。
【図３】信号点マッピング回路における正規化されたＩＱ直交座標系での信号点のマッピングを示す図である。
【図４】正規化されたＩＱ直交座標値と実電圧動作の相対座標値との対応を示す図である。
【図５】入力ビットストリーム信号を例示する図である。
【図６】図５に示された入力ビットストリーム信号に対する、アナログ変換されたＩチャネル信号及びＱチャネル信号と、直交変換後に出力されるＦＳＫ変調波信号とを示す図である。
【図７】同実施例の２値ＦＳＫ変調波データ発生回路のやや詳細な構成例を示す図である。
【図８】図７の場合の、１ビット符号信号をＩＱ信号点に変換するための信号点マッピング回路の一構成例を示す図である。
【図９】図８の場合の、バレイコードとＩＱ信号点との対応を示す図である。
【図１０】本発明の２値ＦＳＫ変調波データ発生回路の第２実施例の構成を示す図である。
【図１１】ＶＣＯを用いた従来のＦＳＫ変調回路を示す図である。
【図１２】入力ビットストリーム信号とこれに対応するＦＳＫ変調波信号とを例示する図である。
【符号の説明】
【００５２】
１    信号点マッピング回路
２，３    ＤＡ変換回路（ＤＡＣ）
４    直交変調器
５，６    ガウシァンフィルタ
【図１】
2005210330.tif 000005
【図２】
2005210330.tif 000006
【図３】
2005210330.tif 000007
【図４】
2005210330.tif 000008
【図５】
2005210330.tif 000009
【図６】
2005210330.tif 000010
【図７】
2005210330.tif 000011
【図８】
2005210330.tif 000012
【図９】
2005210330.tif 000013
【図１０】
2005210330.tif 000014
【図１１】
2005210330.tif 000015
【図１２】
2005210330.tif 000016